(57)【要約】【課題】  外部から供給される受信信号を記録する記録機器の予約記録動作を確実に実行させる。【解決手段】  デジタル放送チューナ１０１と、このデジタル放送チューナ１０１とネットワークで接続され、チューナ１０１のビデオ出力端１０９から供給されるビデオ信号を記録するネット対応記録機器１０２とでシステムを構成し、チューナ１０１で記録機器１０２の記録予約を登録した際に、その記録予約データをネットワークを介して記録機器１０２に伝送して、メモリ１１４に記憶させ、記録機器１０１の記録動作を記憶させた予約データに基づいて実行させる。【選択図】  図１
2005222643.tif 000002
【特許請求の範囲】
【請求項１】
放送番組を受信する受信機器と、
この受信機器とネットワークを介して接続され、前記受信機器で受信され概受信機器から
出力される放送番組を構成する信号が記録信号として供給される記録機器と、
前記受信機器に設けられ、将来放送される番組を前記受信機器で受信させ、かつ前記記
録機器で記録させるための記録予約データを入力する記録予約手段と、
この記録予約手段から入力された予約データを前記ネットワークを介して前記記録機器
に伝送して記憶させ、当該記録機器の記録動作をその記録予約データに基づいて実行させ
る制御手段と、
を具備したことを特徴とする放送番組記録システム。
【請求項２】
前記記録機器は、前記ネットワークを介して伝送される前記記録予約手段で入力された
データの記憶が完了したことを当該ネットワークを介して前記受信機器に通知する手段を
備えたことを特徴とする請求項１に記載の放送番組記録システム。
【請求項３】
前記記録機器は、前記ネットワークを介して伝送される前記記録予約手段で入力された
データの記憶が実行されないことを当該ネットワークを介して前記受信機器に通知する手
段を備えたことを特徴とする請求項１に記載の放送番組記録システム。
【請求項４】
前記受信機器は、映像表示手段を備え、前記記録機器から前記ネットワークを介して送
られる通知に基づくメッセージを前記映像表示手段で表示させることを特徴とする請求項
２または３に記載の放送番組記録システム。
【請求項５】
受信機器と、この受信機器で受信した放送番組を構成する信号を記録信号として受ける
記録機器とをネットワーク接続するステップと、
将来放送される番組を前記受信機器で受信させ、かつ前記記録機器で記録させるための
記録予約データを入力するステップと、
前記記録機器と前記受信機器のそれぞれに前記記録予約データを登録するステップと、
受信機器の受信動作と記録機器の記録動作をそれぞれ登録された記録予約データに基づ
いて実行させるステップと、
を有する放送番組記録方法。
【請求項６】
受信した放送番組を構成する信号を、記録機器で記録するために外部に出力する出力手
段と、
前記記録機器とネットワーク接続するための通信手段と、
将来の放送番組の受信を予約するデータを入力する番組予約データ入力手段と、
この番組予約データを前記記録機器に登録するために前記ネットワークを介して送出す
る制御手段と、
を具備したことを特徴とする放送番組記録制御装置。
【発明の詳細な説明】
【技術分野】
【０００１】
本発明は、テレビジョン放送、音声放送等、所定のスケジュールで放送される番組を記
録する記録システムに関し、特に放送を受信する受信機器と、受信した番組を記録する記
録機器が例えばイーサネット（登録商標、以下同）等を利用したネットワークで接続され
た環境において、予約した記録を確実に実行させ得るようにした放送番組記録システム、
放送番組記録方法及び放送番組記録制御装置に関する。
【背景技術】
【０００２】
テレビジョン放送においては、アナログ地上波による放送の他、衛星を利用したアナロ
グ放送及びデジタル放送が実用に供され、さらにデジタル地上波放送も開始される等、多
様な放送形態がとられるようになってきている。
【０００３】
デジタル放送では、放送局から提供される情報をもっぱら受信するだけでなく、視聴者
が放送提供業者側に、応答を返すことができるいわゆる双方向性のサービスを提供するこ
とが可能であり、このため、市販されているデジタルテレビジョン受像機、あるいはデジ
タルテレビジョンチューナ（セットトップボックス）には、電話回線を介して放送業者側
のサーバーと接続して、データを伝送するための装置が設けられている。
【０００４】
また、最近では、一般家庭において、パソコンによって電話回線を介してインターネッ
トにアクセスして情報を取得するということが広く普及してきており、一家庭で複数のパ
ソコンを使うことも珍しくなく、そのような場合、例えばルーターをハブとして、複数の
パソコンを接続して家庭内ＬＡＮ（Local Area Network）を構築するという使い方もなさ
れてきている。
【０００５】
このようなＬＡＮが構築されている場合、デジタルテレビジョン受像機もこのＬＡＮを
介して外部サーバーに接続するのが効率的であるため、最近では、イーサネット端子を備
えた製品も市販されている。
【０００６】
一方、記録機器の分野においても、パソコンとネットで接続して、記録予約を行なうこ
とができる機能を搭載したＤＶＤ（Digital Versatile Disk）レコーダ等の製品も市場に
出回っており、今後、家庭内ＬＡＮがさらに普及することが予想される。
【０００７】
ところで、記録機器の主たる使用目的は、放送番組の記録にあり、このため、放送を受
信するチューナを一応備えているが、チューナとしてデジタル放送に対応するものは搭載
されていない傾向にある。
【０００８】
そこで、デジタル放送番組を記録するには、デジタル放送受信機器で受信した信号をデ
ジタル信号のまま、あるいはアナログ信号に変換して、ライン入力として記録機器に供給
し、同時に記録機器を起動させて記録するという方法で行なっている。
【０００９】
デジタル放送受信機器と記録機器の動作を連係させるために、デジタル放送受信機器と
記録機器をＩＥＥＥ１３９４シリアルバスで接続して、ＡＶ／Ｃ（Audio Video Control
）コマンドで制御したり、あるいは、デジタル放送受信機器から記録機器を制御するリモ
コン信号を送信して記録機器を制御するという方法が採られている。
【００１０】
いずれにしても、記録の予約は、デジタル放送受信機器側で行なわれ、記録機器はデジ
タル放送受信機器によってその動作が制御される構成となっている。記録の予約は、例え
ば、デジタル放送で多重伝送されるメタデータとしてのＳＩ（Service Information）に
基づいてＥＰＧ（Electronic Program Guide）の番組表を構築して表示し、記録したい番
組をカーソルで選択することで行なう方式が一般的である。
【００１１】
以上のように従来、記録機器で受信することができない例えばデジタル放送番組を記録
するには、デジタル放送受信機器に記録予約登録を行い、記録機器はもっぱらデジタル放
送受信機器によってその動作が制御されるという構成になっている。
【００１２】
したがって、記録動作が正常に行なわれる条件としては、少なくとも記録が開始される
時刻（放送開始時刻）から記録が終了される時刻（放送終了時刻）まで、記録機器がデジ
タル放送受信機器から正しく制御を受けられる状態で、デジタル放送受信機器と連結され
ている必要がある。
【００１３】
しかしながら、例えばＩＥＥＥ１３９４シリアルバスでネットワークを構成した場合、
他の機器がコネクタから外されたりして、バスリッセットが発生すると、リセットされる
前の状態に復帰されないこともあり、そうなると、デジタル放送受信機器が記録機器の動
作を制御させることができなくなる。
【００１４】
また、デジタル放送受信機器から赤外線リモコン信号を記録機器に送って記録機器を制
御する場合には、デジタル放送受機器からリモコン信号を送出する発光部と、記録機器側
でそのリモコン信号を受ける受光部とが、所定の位置関係になくてはならず、位置がずれ
てしまったりすると、リモコン信号が正しく伝送されなくなるという事故が発生する。ま
た、リモコンで制御する場合、記録開始時刻になるまで、記録機器の電源をオフにしてお
く必要があり、これを怠ると正しい記録動作が期待できなくなる。
【００１５】
このような事故の発生率を抑制するには、記録機器にも記録予約データを登録しておい
て、それに基づいて記録動作を実行させるようにすれば、少なくとも、リモコンで制御す
る方法に比べて確実性があると思われるが、デジタル放送受信機器と記録機器にそれぞれ
記録予約を行なうには、手間が掛かるということもあり、従来、実用化されることはなか
った。
【００１６】
データ放送を受信する手段を持たない端末機器から、インターネット等のネットワーク
を利用して、番組情報を取得して記録予約ができるようにした装置が特許文献１に開示さ
れているが、受信機器と記録機器をいかに連係させて予約記録を確実に実行させるという
観点での提案はなされていない。
【特許文献１】特開２００１−１３６４５２号公報
【発明の開示】
【発明が解決しようとする課題】
【００１７】
以上のように、従来、放送受信機器で受信した番組を、この放送受信機器に連結された
記録機器で記録させる際に、その番組の記録を確実に実行させ得るようにしたシステムが
なく、実現が待望されている。
【００１８】
本発明は、以上の点に鑑みてなされたものであり、放送受信機器と記録機器をネットワ
ークで接続して、放送受信機器で受信した番組の記録機器での記録を予約する場合に、予
約データを放送受信機器だけでなく、記録機器にも登録して、記録機器が登録した予約デ
ータに基づいて動作するようにしたものである。
【課題を解決するための手段】
【００１９】
本発明の放送番組記録システムは、放送番組を受信する受信機器と、この受信機器とネ
ットワークを介して接続され、前記受信機器で受信され概受信機器から出力される放送番
組を構成する信号が記録信号として供給される記録機器と、前記受信機器に設けられ、将
来放送される番組を前記受信機器で受信させ、かつ前記記録機器で記録させるための記録
予約データを入力する記録予約手段と、この記録予約手段から入力された予約データを前
記ネットワークを介して前記記録機器に伝送して記憶させ、当該記録機器の記録動作をそ
の記録予約データに基づいて実行させる制御手段と、を具備したことを特徴とする。
【００２０】
本発明の放送番組記録方法は、受信機器と、この受信機器で受信した放送番組を構成す
る信号を記録信号として受ける記録機器とをネットワーク接続するステップと、将来放送
される番組を前記受信機器で受信させ、かつ前記記録機器で記録させるための記録予約デ
ータを入力するステップと、前記記録機器と前記受信機器のそれぞれに前記記録予約デー
タを登録するステップと、受信機器の受信動作と記録機器の記録動作をそれぞれ登録され
た記録予約データに基づいて実行させるステップと、
を有することを特徴とする。
【００２１】
また、本発明の放送番組記録制御装置は、受信した放送番組を構成する信号を、記録機
器で記録するために外部に出力する出力手段と、前記記録機器とネットワーク接続するた
めの通信手段と、将来の放送番組の受信を予約するデータを入力する番組予約データ入力
手段と、この番組予約データを前記記録機器に登録するために前記ネットワークを介して
送出する制御手段と、を具備したことを特徴とする。
【発明の効果】
【００２２】
本発明によれば、記録機器にも記録予約データが登録されるので、記録動作を確実に実
行させることができるものである。
【発明を実施するための最良の形態】
【００２３】
以下、図面を参照しながら本発明の放送番組記録システムの一実施の形態を詳細に説明
する。  
図１は、本発明の放送番組記録システム１００の概念を示すブロック図であり、放送受
信機器としてのデジタル放送チューナ１０１と、記録機器としてのネット対応記録機器１
０２と、デジタル放送チューナ１０１とネット対応記録機器１０２をネット接続するため
のルーター１０３で構成されている。
【００２４】
すなわち、デジタル放送チューナ１０１は例えばイーサネット等のネット端子１０４を
有し、ルーター１０３とケーブル１０５を介して接続され、ネット記録対応記録機器１０
２もネット端子１０６を有し、ケーブル１０７によってルーター１０３と接続されている
。以上によって、デジタル放送チューナ１０１とネット対応記録機器１０２がネットワー
ク１０８に接続されることにる。
【００２５】
また、デジタル放送チューナ１０１は、受信した番組のビデオ信号（映像信号と音声信
号含む）を出力するビデオ出力端子１０９を備えており、ネット対応記録機器１０２は、
そのビデオ出力を受けるためのビデオ入力端子１１０を備え、両端子１０９，１１０がケ
ーブル１１２で接続されている。ビデオ入力端子１１０は、いわゆるライン入力端子であ
り、通常複数設けられている。
【００２６】
さらに、デジタル放送チューナ１０１とネット対応記録機器１０２は、それぞれフラッ
シュメモリ等で構成されるメモリ１１３，１１４を備えており、デジタル放送チューナ１
０１での記録予約を行なうと、その予約データの全部または一部がネットワーク１０８を
介して、ネット対応記録機器１０２に伝送され、そのメモリ１１４に記憶される。すなわ
ち予約データが登録される。
【００２７】
ネット対応記録機器１０２は、予約データの登録が完了すると、デジタル放送チューナ
１０１に、完了通知を伝送し、デジタル放送チューナ１０１はこれを受けて、予約データ
の登録を行う。
【００２８】
デジタル放送チューナ１０１のメモリ１１３に記憶される予約データは、例えば、記録
したい番組を放送する放送局のチャンネル番号、記録開始（放送開始）時刻、終了（放送
終了）時刻、記録映像モード、記録音声モード等である。また、ネット対応記録機器１０
２においては、例えば、複数のライン入力端子のうち、デジタル放送チューナ１０１のビ
デオ出力端子１０９と接続されるライン入力端子を特定する番号と、記録開始時刻、終了
時刻、記録映像モード、記録音声モード等である。
【００２９】
記録予約された番組の放送の開始時刻に合せて、デジタル放送チューナ１０１が起動さ
れ、予約した番組の放送チャンネルの選局処理を行い、それによって受信された信号を復
調してＭＰＥＧ（Moving Picture Experts Group）２のＴＳ（Transport Stream）に変換
し、さらにこのＴＳに対し、記録予約データの記録映像モード、音声モードに合せた処理
を必要に応じて施して、ビデオ出力端子１０９から出力する。
【００３０】
すなわち、ビデオ出力端子１０９からは、例えばＴＳ信号そのもの、あるいはそれを復
号し、かつＮＴＳＣエンコード等の処理を施したアナログのビデオ信号（映像信号＋音声
信号）が出力される。
【００３１】
ネット対応記録機器１０２もまた、記録予約された番組の放送開始時刻に合せて、予約
されたライン番号のビデオ入力端子１１０から供給されるビデオ信号を、記録予約された
記録映像モード、記録音声モードで、その内部に設けられた図示しない記録媒体に記録す
る。
【００３２】
放送終了時刻になったら、デジタル放送チューナ１０１は、受信動作を停止し、ネット
対応記録機器１０２も記録動作を停止させる。
【００３３】
以上のように、本発明の放送番組記録システムは、放送受信機器で記録予約するとその
予約データの全部あるいは一部が、ネットワークを介してネット対応記録機器１０２に記
憶され、ネット対応記録機器１０２は、その記憶された予約データに基づいて動作し、放
送受信機器によって影響を受けないので、少なくとも記録動作モードを起動させることに
関しては、誤動作することなく確実に実行させることができるものである。
【００３４】
図２は、図１に示すデジタル放送チューナ１０１の一実施例の回路ブロックを示す図で
あり、図１と同じ構成部分に同じ符号を付す。  
図２において、２０１はアンテナであり、このアンテナ２０１で放送電波がキャッチさ
れ、放送信号としてアンテナ入力端子２０２を介してチューナ／復調部２０３に供給され
る。
【００３５】
チューナ／復調部２０３では、所望の放送チャンネルの選局と、選局されたチャンネル
の受信信号の復調、誤り訂正、必要に応じてスクランブル解除処理等が行われ、ＭＰＥＧ
２ＴＳとして出力される。
【００３６】
チューナ／復調部２０３からのＴＳ信号は、デマルチプレクサ２０４に供給され、多重
されているデータが、パケット毎に分離されて出力される。番組の映像と音声を構成する
ＰＥＳ（Packetized Elementary Stream）は、デコーダ２０５に供給されて復号され、そ
れぞれ非圧縮のデジタル映像信号とデジタル音声信号として出力される。
【００３７】
デコーダ２０５からのデジタル映像信号は、グラフィック処理／重畳部２０６で、グラ
フィック処理と、ＯＳＤ（On Screen Display）信号生成部２０７からのＯＳＤ信号等の
重畳処理が行われた後、ＡＶ（Audio Video）信号処理／出力部２０８に導出される。ま
た、デコーダ２０５から出力されるデジタル音声信号もＡＶ信号処理／出力部２０８に導
出される。
【００３８】
ＡＶ信号処理／出力部２０８では、デジタル映像信号及びデジタル音声信号を標準フォ
ーマットのテレビジョン信号に変換すると共に、ベースバンドのアナログテレビジョン信
号を生成して出力端子２０９に出力する。ＡＶ信号処理／出力部２０８から出力されるテ
レビジョン信号は、出力端子２０９に接続されているモニタ２１０に供給されて、その映
像がモニタ２１０の表示部で表示されると共に、音声がスピーカ等から出力される。
【００３９】
また、デマルチプレクサ２０４によって分離抽出されたＴＳは、外部出力部２１１にも
導出されている。この外部出力部２１１には、ＡＶ信号処理／出力部２０８からアナログ
のベースバンドテレビジョン信号も供給されており、外部出力部２１１は、端子１０９の
一方からデジタル信号であるＴＳを導出し、端子１０９の他方からアナログのテレビジョ
ン信号が導出される。端子１０９は、図１に示すビデオ出力端子１０９に相当する。
【００４０】
さらに、デジタル放送チューナ１０１は、ＡＶ入力部２１４を備え、外部からのテレビ
ジョン信号を受けて、これをモニタ２１０で提示する機能を有する。ＡＶ入力部２１４は
、２端子構成の入力端子２１５を備えており、一方の入力端子２１５にはデジタル信号で
あるＭＰＥＧのＴＳが供給され、他方の入力端子２１５にはアナログテレビジョン信号が
供給される。入力端子２1５の一方に供給されるデジタル信号はデマルチプレクサ２０４
に供給されて、チューナ／復調部２０３からのＴＳと同様に処理され、他方に供給される
アナログテレビジョン信号は、ＡＶ信号処理／出力部２０８に導かれて処理されモニタ２
１０で提示されるように設定することが可能である。
【００４１】
さらに、デジタル放送チューナ１０１は、その全体の動作制御、データの管理等を行う
ために制御部２１７が設けられている。制御部２１７は、マイクロコンピュータで構成さ
れ、内部にアプリケーション等の処理プログラムが蓄積されたＲＯＭ（Read Only Memory
）と、ワークエリアとしてのＲＡＭ（Random Access Memory）が設けられているものであ
る。
【００４２】
また、制御部２１７は、チューナ／復調部２０３、デマルチプレクサ２０４、デコーダ
２０５、グラフィック処理／重畳部２０７、ＡＶ信号処理／出力部２０８の制御も行うも
のであり、さらにＯＳＤ信号生成部２０７によってＯＳＤ信号を生成させたり、デマルチ
プレクサ２０４で分離されるＳＩを解析してＥＰＧ番組表を構築することも行う。構築さ
れたＥＰＧ番組表は、ＯＳＤ信号処理部２０７からグラフィック処理／重畳部２０６、Ａ
Ｖ信号処理／出力部２０８を介してモニタ２１０で表示される。
【００４３】
さらに、制御部２１７には、ネットワークによってデータの送受信を行うための通信Ｉ
／Ｆ２２０が接続されており、この通信Ｉ／Ｆ２２０がネット端子１０４を介して、ケー
ブル１０５によってルーター１０３（図１参照）に接続されている。
【００４４】
制御部２１７はまた、ユーザがデジタル放送チューナ１０１の動作の設定、機能の調整
を行うためのキー入力部２１８とリモコン信号受信部２１９が接続されており、キー入力
部２１８をユーザが操作したり、図示しないリモートコントローラを操作することで、チ
ューナ／復調部２０３による選局チャンネルの切換え、グラフィック処理／重畳部２０６
による画面構成の切換え、ＯＳＤ信号の重畳等の制御を実行させることができる。
【００４５】
さらにまた、キー入力部２１８あるいはリモートコントローラを操作することで、将来
放送される番組の記録を予約することが可能であり、それによって入力された予約データ
は、不揮発性メモリ１１３に記憶されることで、記録予約が完了することになる。
【００４６】
図３は、図１に示すネット対応記録機器１０３を構成する回路ブロックの例を示すもの
であり、図１同じ構成部分に同じ符号を付す。図３に示す記録機器１０３は、記録媒体と
してＨＤＤ（Hard Disk Drive）３０１と、光ディスク３０２を扱うことが可能なように
構成されている。
【００４７】
記録するテレビジョン信号の供給源として、アナログ放送を受信するチューナ部３０３
と、外部からのテレビジョン信号を受けるＡＶ入力部３０４を備えている。
【００４８】
チューナ部３０３は、ＲＦ（Radio Frequency）入力端子３０５に供給される放送信号
を受けて、所望のチャンネルの選局を行い、さらに選局によって得られる受信信号の復調
処理を行ってアナログベースバンドテレビジョン信号に変換し、これをエンコーダ部３０
６に出力する。
【００４９】
また、ＡＶ入力部３０４も、外部入力端子１１０から供給されるアナログテレビジョン
信号あるいはデジタルテレビジョン信号をエンコーダ部３０６に導出する。外部入力端子
１１０は、２端子構成で、一方の端子にデジタルテレビジョン信号が供給され、他方にア
ナログテレビジョン信号が供給される。この端子１１０は、図１のビデオ入力端子１１０
に相当する。
【００５０】
エンコーダ部３０６は、入力されたアナログテレビジョン信号の映像信号及び音声信号
をデジタル信号に変換してから、エンコード処理と、フォーマット変換処理を行って、デ
ータプロセッサ３０８に出力し、データプロセッサ３０８では、エンコーダ部３０６から
供給されるデジタルデータを、ＨＤＤ３０１に記録させたり、あるいはディスクドライブ
部３０９を介して光ディスク３０２に記録するための処理を行う。
【００５１】
さらにまた、データプロセッサ部３０８は、ＨＤＤ３０１あるいは光ディスク３０２に
記録されているデータを読み出して、デコーダ部３１０に供給する処理を行う。
【００５２】
デコーダ部３１０は、供給される映像データ、音声データのフォーマットを元に戻し、
デジタルテレビジョン信号としてＡＶ出力部３１１に出力する。ＡＶ出力部３１１では、
デジタルテレビジョン信号をＴＳ信号として２端子構成の端子３１２の一方出力するか、
あるいはアナログテレビジョン信号に変換して端子３１２の他方から出力する。
【００５３】
さらに、ネット対応記録機器１０２の全体の動作を制御し、管理するためにマイクロコ
ンピュータで構成される制御部３１４が設けられている。制御部３１４は、チューナ部３
０３の選局処理の制御をはじめとして、エンコーダ部３０６、データプロセッサ３０８、
ＨＤＤ３０１、ディスクドライブ部３０９、デコード部３１０及びＡＶ出力部３１１の制
御を行う。制御部３１４は、アプリケーション等各種の処理プログラムが蓄えられたＲＯ
Ｍと、ワークエリア用のＲＡＭを内部に備える。
【００５４】
さらに制御部３１４には、ネットワークによってデータの送受信を行うための通信Ｉ／
Ｆ３１５が接続されており、この通信Ｉ／Ｆ３１５がネット端子１０６を介して、ケーブ
ル１０７によってルーター１０３（図１参照）に接続されている。
【００５５】
制御部３１４はまた、ユーザが、動作の設定、機能の調整を行うためのキー入力部３１
６とリモコン信号受信部３１７が接続されており、キー入力部３１６をユーザが操作した
り、図示しないリモートコントローラを操作することで、チューナ部３０３の選局チャン
ネルの切換え、記録及び再生時の記録媒体の選択、記録モードの選択、再生時に再生すべ
きタイトルの選択等が実行される。さらに、制御部３１４には、ネット対応記録機器１０
２の動作状態を表示するための表示部３１８が接続され、さらに不揮発性メモリ１１４も
接続されている。不揮発性メモリ１１４は、各種設定情報が記憶されるほか、ネットワー
ク１０８を介して、デジタル放送チューナ１０１から伝送される記録予約データの一部ま
たは全部が記憶される。
【００５６】
以上ように構成された、デジタル放送チューナ１０１とネット対応記録機器１０２がル
ーター１０３にネット接続されることでネットワーク１０８が構築されるものであるが、
実際には、ネット対応記録機器１０２をネットワークに接続するための処理が必要となり
、それについて説明する。
【００５７】
すなわち、初期設定の段階において、ネット対応記録機器１０２をデジタル放送チュー
ナ１０１で認識可能な機器として登録する必要があり、デジタル放送チューナ１０１にお
いて、図示しないリモートコントローラ等の操作により、例えばまず初期設定メニューを
モニタ２１０に表示させて、登録設定を行う。
【００５８】
図４は、デジタル放送チューナ１０１を制御するためのリモートコントローラ４０１の
キー配列例を示すものであり、リモートコントローラ４０１は、地上波放送のチャンネル
切換え、あるいは数字／文字データ入力時等に使用する数字キー４０２を有する。数字キ
ー４０２は、１〜１２のキーで構成され、さらにそれらキーに対してかな文字とアルファ
ベットが割り当てられている。例えば数字「１」が付されたキーは、あ行のかな文字と、
アルファベットのＡＢＣ及びその小文字が入力可能である。
【００５９】
さらにリモートコントローラ４０１は、画面上の項目を選択するためのカーソルキー４
０３と、カーソル４０３で選択した項目を登録するための決定キー４０４を有し、さらに
、チャンネルをアップ／ダウン選局するためのチャンネルアップ／ダウンキー４０５と、
音量を増大させ、または減少させるための音量調整キー４０６を有する。
【００６０】
さらにリモートコントローラ４０１は、ＥＰＧを画面表示させるための番組表キー４０
７と、処理を終了させる終了キー４０８と、表示画面を戻す際等に使用する戻るキー４０
９と、各種機能を設定するためのメニューを画面表示させるためのメニューキー４１０を
備える。
【００６１】
図５は、ネット対応記録機器１０２を登録するための表示例を示すものである。図５に
おいて、画面５０１には、ＩＰ（Internet Protocol）アドレス入力欄５０２、ユーザー
名入力欄５０３、パスワード入力欄５０４、ポート番号入力欄５０５及び連動ライン番号
入力欄５０６が設けられ、さらに設定完了の際に操作する設定完了ボタン５０７が設けら
れている。
【００６２】
ユーザは、図４に示すリモートコントローラ４０１のメニューキー４１０を操作して初
期設定メニューから図４に示す記録機器情報設定画面に入り、リモートコントローラ４０
１の数字キー及び文字キー４０２を使って、各項目を入力することが可能である。全ての
項目の入力が完了した時点で、リモートコントローラ４０１のカーソルキー４０３を操作
してカーソルを設定完了ボタン５０７に合わせて、決定キー４０４を操作することで、ネ
ット対応記録機器１０２をデジタル放送チューナ１０１に登録する処理が完了する。
【００６３】
以上のようにして、ネットワーク１０８が構築されている状態において、記録予約を実
行するには、ユーザは、まずリモートコントローラ４０１の番組表キー４０７を操作する
。それによって、デジタル放送チューナ１０１の制御部２１７が、送られてくるリモコン
信号を、リモコン信号受信部２１９を介して受け取り、デマルチプレクサ２０４で、多重
伝送されてくるＳＩを抽出して、これを解読してＥＰＧ番組表を構築して、ＯＳＤ信号生
成部２０８を介してグラフィック処理／重畳部２０６に導出して、ＥＰＧ番組表を画面表
示させる。
【００６４】
図６は、ＥＰＧ番組表６０１の例を示すものであり、ユーザは表示された番組表から、
リモートコントローラ４０１のカーソルキー４０３を使って所望の番組にカーソルを合わ
せて、決定キー４０４を操作する。
【００６５】
図６においては、衛星デジタル放送の１０３チャンネルで、１２月２１日の午後９時から
１０まで放送される「世界の美術館」という番組にカーソル６０２が存在していることを
示しており、この状態で決定キー４０４を操作することで、記録予約の画面に移行するこ
とになる。
【００６６】
図７は、ＥＰＧから移行した記録予約のための表示例を示すものであり、画面７０１で
は、番組記録予約のタイトルの下に、選択した番組の放送チャンネルと放送日時が表示さ
れ、次いで、番組のタイトルが表示され、次に「予約する」の選択ボックス７０２と「予
約しない」の選択ボックス７０３が表示され、さらに記録機器がいかなるものかの表示が
なされている。
【００６７】
ユーザが、カーソルキー４０３と決定キー４０４で「予約する」を選択したとすると、
図８に示す画面に移る。図８の画面８０１では、記録の条件を設定する画面であり、設定
項目として、映像モード、音声モード、記録先、ＤＶＤ互換である。映像モードとは、い
わゆる再生したときの映像の画質であり、ＳＰ（Standard Playing (record)）は標準モ
ードである。音声モードは、再生したときの音声の音質であり、Ｍ１は標準の音質である
。記録先は、ＨＤＤ３０１と光ディスク３０２のどちらに記録するかということであり、
ＤＶＤ互換は、他のＤＶＤフォーマットと互換を保持した記録を行わせるかということで
ある。
【００６８】
図８において、記録条件項目の設定が済んだら、記録予約設定完了のボタン８０２を操
作することで、記録予約が完了する。
【００６９】
制御部２１７は記録予約設定が完了したという情報を受けて、設定した予約データを、
ネットワーク１０８を介してネット対応記録機器１０２に送ると共に、デジタル放送チュ
ーナ１０１の不揮発性メモリ１１３に記憶する。
【００７０】
ネット対応記録機器１０２では、ネットワーク１０８によって送られてくる予約データ
を、制御部３１４の制御の下、不揮発性メモリ１１４に記憶させる。この予約データは、
デジタル放送チューナ１０１から送られてくるデータの他、初期設定の際に、設定登録し
たライン番号も含まれる。すなわち、ＡＶ入力部３０４で選択されているライン番号が含
まれる。
【００７１】
以上のようにして、デジタル放送チューナ１０１で記録予約したデータがネット対応記
録機器１０２にも登録されることで、ネット記録機器１０２の記録動作をより確実なもの
とすることができるものである。
【００７２】
なお、デジタル放送チューナ１０１から記録予約データがネット対応記録機器１０２に
伝送され、それに基づくネット対応記録機器１０用の予約データが登録された際に、ネッ
ト対応記録機器１０２からデジタル放送チューナ１０１に対して、予約データの登録が完
了した旨の通知を返すように構成すれば、デジタル放送チューナ１０１では自己の記録予
約が登録されたことと合せて、記録予約処理が滞りなく登録されたことを確認することが
できるものであり、デジタル放送チューナ１０１が、その状態になったことを、例えば図
９に示すように、メッセージをモニタ２１０で表示させで報知するように構成することも
可能である。
【００７３】
図９においては、画面９０１の上方に、予約した番組の具体的内容が表示され、下方に
、予約登録ができたことのメッセージ９０２が表示されている。ユーザは、これを見るこ
とで、記録予約が正しくなされたことを確認でき、例えばミス入力によって、記録予約が
正常に行なわれずに予約記録が実行されなかった等という事故を防止することができるも
のである。
【００７４】
さらに、通常の民生用機器においては、記録予約できる番組の数（プログラム数）を所
定数に制限することが行なわれており、その限度を越えて登録しようとした場合には、新
規な登録を阻止するように構成するのが一般である。この場合にも、ユーザに通知するこ
とが好ましい。
【００７５】
すなわち、図１０に示すように、記録予約登録をしようとした際に、登録できるプログ
ラム数の限度いっぱいに登録済みであった場合に、画面１００１の下方に、記録機器の記
録予約がいっぱいであるとのメッセージ１００２を出すように構成することが可能である
。
【００７６】
この場合、ネット対応記録機器１０２は、デジタル放送チューナ１０１から予約データ
が送信されてきた際に、登録済みのプログラム数を認識して、限度一杯に登録済みであっ
た場合に、その旨の返信をデジタル放送チューナ１０１に送ることで、デジタル放送チュ
ーナ１０１が図１０に示すメッセージ画像を生成してモニタ２１０に表示させるよう構成
することができる。
【００７７】
以上のように、記録予約を行なうことができない状態にある場合にも、それをユーザに
知らしめるよう報知することで、記録予約登録をしたのに記録されなかったというような
事故を防止することができるものである。
【００７８】
図１１〜図１５は、以上説明した本発明の放送番組記録システムの動作を改めて、説明
するフローチャートである。  
図１１は、ネット対応記録機器１０１をネットに接続する処理を説明するものであり、
ステップＳ１１０１で開始され、ステップＳ１１０２で、登録用画面を表示させ、ステッ
プＳ１１０３で項目を入力する。次いで、ステップＳ１１０４で設定完了コマンドが入力
されたか否かの判定がなされ、完了コマンドが入力されたらステップＳ１１０５で入力し
た項目を不揮発性メモリ１１４に記憶して、ステップＳ１１０６で処理を終了する。
【００７９】
図１２は、デジタル放送受信機器における記録予約データ登録処理を説明するフローチャ
ートである。ステップＳ１２０１で開始され、ステップＳ１２０２でＥＰＧ番組表を表示
させ、ステップＳ１２０３で記録予約したい番組を選択し、次いで、ステップＳ１２０４
で、ネットワークを介して記録機器へ記録予約データを伝送する。
【００８０】
次いでステップＳ１２０５で記録機器からの送信があったか否かの判定がなされ、あっ
た場合には、ステップＳ１２０６でそれが新規登録不可という内容か否かの判定がなされ
、不可であった場合には、ステップＳ１２０７で予約済プログラムが限度一杯であるため
新規登録できないことを画面表示によってユーザに通知してステップＳ１２１０で処理を
終了する。
【００８１】
新規登録不可でない場合は、記録機器で予約登録が完了したことであり、ステップＳ１
２０８で記録予約データを登録し、次いでステップＳ１２０９で選択した番組の記録予約
が完了したことを画面表示でユーザに通知して、ステップＳ１２１０で処理を終了する。
【００８２】
図１３は、デジタル放送記録機器における記録予約データ登録処理を説明するフローチ
ャートである。ステッブ゜Ｓ１３０１で開始され、ステップＳ１３０２で受信器機器から
送られる記録予約データを受信する。次いでステップＳ１３０３で登録可能プログラム数
を確認し、ステップＳ１３０４で新規登録可能か否かの判定を行い、不可の場合、ステッ
プＳ１３０５で新規登録不可であことを受信機器に伝送し、ステップＳ１３０８で処理を
終了する。
【００８３】
新規登録可能である場合には、ステップＳ１３０６で送信された予約データに基づいて
記録機器用のデータを登録し、ステップＳ１３０７で登録したことを放送受信機器に送信
して、ステップＳ１３０８で処理を終了する。
【００８４】
図１４、はデジタル放送チューナ１０１において、記録予約データに基づいて放送番組
を受信する手順を説明するためのものである。ステップＳ１４０１で開始され、ステップ
Ｓ１４０２で予約登録した放送開始時刻になったか否かの判定がなされ、開始時刻になっ
たら、ステップＳ１４０３で予約した放送番組を受信して受信信号を記録機器に伝送する
。
【００８５】
次いで、ステップＳ１４０４で番組の終了時刻になったか否かの判定がなされ、終了時
刻になったらステップＳ１４０５で放送の受信と記録機器への伝送を停止してステップＳ
１４０６で処理を終了する。
【００８６】
図１５は、記録機器１０２において、記録予約データに基づいて放送番組を記録する手
順を説明するためのものである。ステップＳ１５０１で開始され、ステップＳ１５０２で
予約登録した放送開始時刻になったか否かの判定がなされ、開始時刻になったら、ステッ
プＳ１５０３で、デジタル放送チューナ１０１から送られる予約した放送番組の受信信号
を受信して記録媒体に記録する。
【００８７】
次いで、ステップＳ１５０４で番組の終了時刻になったか否かの判定がなされ、終了時
刻になったらステップＳ１５０５で記録を停止して、ステップＳ１５０４で処理を終了す
る。
【００８８】
以上説明したように本発明の放送番組記録システムによれば、ネットワークで接続され
た記録機器にも記録予約データを登録してそれに基づいて、記録を実行させるようにした
ので、予約した番組の記録を確実に実行させることができるものである。
【００８９】
なお、以上説明した実施の形態では、テレビジョン放送番組を記録するためのシステム
として構成されているが、本発明はテレビジョン放送に限定されるものではなく、音声の
みの放送、あるいはデータ放送を、記録する番組を提供する放送とすることも可能である
ことは述べるまでもない。
【図面の簡単な説明】
【００９０】
【図１】本発明に係る放送番組記録システムの全体構成の概念図。
【図２】図１のシステムを構成するデジタル放送チューナの一実施の形態を示す回路ブロック図。
【図３】図１のシステムを構成するネット対応記録機器の一実施の形態を示す回路ブロック図。
【図４】図２に示すデジタル放送チューナで適用されるリモートコントローラのキー配置の例を示す図。
【図５】図３に示す機器をデジタル放送チューナに登録する手順を説明するための図。
【図６】図２に示すデジタル放送チューナの受信信号から構築したＥＰＧ番組表の一例を示す図。
【図７】図６に示すＥＰＧ番組表で番組の記録予約をする手順を説明するための図。
【図８】図６に示すＥＰＧ番組表で番組の記録予約をする手順を説明するための図。
【図９】図１に示すシステムにおける番組の記録予約の手順を説明するための図。
【図１０】図１に示すシステムにおける番組の記録予約の手順を説明するための図。
【図１１】図５に示す登録手順を説明するためのフローチャート。
【図１２】図２に示すデジタル放送チューナの動作を説明するためのフローチャート。
【図１３】図３に示す記録機器の動作を説明するためのフローチャート。
【図１４】図２に示すデジタル放送チューナの動作を説明するためのフローチャート。
【図１５】図３に示す記録機器の動作を説明するためのフローチャート。
【符号の説明】
【００９１】
１００…放送番組記録システム
１０１…デジタル放送チューナ
１０２…ネット対応記録機器
１０３…ルーター
１０４，１０６…ネット端子
１０５，１０７…ネットケーブル
１０６…アンテナ入力端子
１０８…ネットワーク
１０９…ビデオ出力端子
１１０…ビデオ入力端子
１１２…ケーブル
１１３，１１４…不揮発性メモリ
【図１】
2005222643.tif 000003
【図２】
2005222643.tif 000004
【図３】
2005222643.tif 000005
【図４】
2005222643.tif 000006
【図５】
2005222643.tif 000007
【図６】
2005222643.tif 000008
【図７】
2005222643.tif 000009
【図８】
2005222643.tif 000010
【図９】
2005222643.tif 000011
【図１０】
2005222643.tif 000012
【図１１】
2005222643.tif 000013
【図１２】
2005222643.tif 000014
【図１３】
2005222643.tif 000015
【図１４】
2005222643.tif 000016
【図１５】
2005222643.tif 000017